(57)【要約】【課題】  透明な包装材を使用してデザイン性の向上を図りつつ、屋外での陳列に耐える耐久性を持つ。【解決手段】  包装袋４０は、ピロー包装の形態でレンズ付きフイルムユニット２を包み込み、前面、上面及び底面には透明な窓部４３が、窓部４３の中央部には遮光部４４が設けられている。窓部４３は、白色塗料を使用した網掛印刷が施されて半透明となっており、レンズ付きフイルムユニット２を露呈させる。遮光部４４は、遮光性塗料により印刷が施されており、撮影レンズ５の前面を覆っている。窓部４３、遮光部４４を除く不透明部４５には不透明な印刷が施されている。【選択図】        図４
2005062615.tif 000002
【特許請求の範囲】
【請求項１】
透過性を有するプラスチックフイルムからなる包装材を筒形状にし、この筒形状にした包装材の端縁同士を互いに重ね合わせて接合させたシール部が形成され、内部にレンズ付きフイルムユニットを収納する包装袋において、
前記包装材のうち前記シール部、及びこのシール部と重なる重複部が遮光性を持ち、前記レンズ付きフイルムユニットの撮影用レンズの前面に前記シール部及び前記重複部が位置することを特徴とする包装袋。
【請求項２】
前記包装材は、前記シール部及び前記重複部に、遮光性塗料によって印刷を施していることを特徴とする請求項１記載の包装袋。
【請求項３】
前記レンズ付きフイルムユニットには操作部材が設けられており、この操作部材を覆う部分に不透明な印刷を施していることを特徴とする請求項１又は２記載の包装袋。
【請求項４】
前記レンズ付きフイルムユニットには操作部材が設けられており、この操作部材を覆う保護部材を内部に収納することを特徴とする請求項１ないし３いずれか１つ記載の包装袋。
【請求項５】
前記包装材は、少なくとも一部に塗料による網掛け印刷を施していることを特徴とする請求項１ないし４いずれか１つ記載の包装袋。
【請求項６】
前記包装材は、少なくとも一部に艶消し塗料による印刷を施していることを特徴とする請求項１ないし４いずれか１つ記載の包装袋。
【請求項７】
前記包装材は、前記プラスチックフイルムと、艶消し樹脂により形成された艶消しフイルム層とを積層して形成していることを特徴とする請求項１ないし４いずれか１つ記載の包装袋。
【請求項８】
前記レンズ付きフイルムユニットの前面を覆う部分に装飾用の印刷を施していることを特徴とする請求項１ないし７いずれか１つ記載の包装袋。
【請求項９】
請求項１ないし８いずれか１項に記載の包装袋の内部に収納され、外装カバーのうち少なくとも前記包装袋から露呈される部分が白色樹脂で成形されていることを特徴とするレンズ付きフイルムユニット。
【発明の詳細な説明】
【技術分野】
【０００１】
本発明は、レンズ付きフイルムユニットに関するものであり、更に詳しくは、専用の電池を内蔵するレンズ付きフイルムユニットに関するものである。
【背景技術】
【０００２】
予め写真フイルムが装填された１回使用型の簡易型カメラとして、レンズ付きフイルムユニットが知られている。このレンズ付きフイルムユニットでは、いわゆる蹴飛ばし式のシャッタ装置が採用されており、構造の簡単化が図られている。
【０００３】
一方、レンズ付きフイルムユニットは、特許文献１〜３に記載されているように、ガセット袋と称される包装袋で包装され、製品として市場に流通されるのが一般的である。このガセット袋は、防湿性を持った包材を筒形状に形成し、包材の両端部同士を互いに重ね合わせて溶着するシーリング処理を施して、レンズ付きフイルムユニットを内部に収納している。また、シーリングを施したシール部とは反対側の面に、商品ロゴや絵柄などを含む装飾用の印刷が施されていることが多い。
【０００４】
レンズ付きフイルムユニットでは、流通時に落下や製品同士の衝突などの衝撃を受けることがあり、撮影レンズに傷が付くおそれがある。そこで、特許文献１では、ガセット袋のシール部がレンズ付きフイルムユニットの撮影レンズを覆うように形成し、ガセット袋を撮影レンズの保護部材として兼用している。
【０００５】
ところで、従来、ガセット袋としては、遮光性、及び防湿性を持たせるため、アルミ箔の表面に薄く樹脂層を重ねたフイルムを包材として使用していたので、外部からレンズ付きフイルムユニットを直接見ることができなかった。ところが、近年では、レンズ付きフイルムユニットでも、外観のデザインが優れたものが好まれており、ガセット袋に収納された製品状態でも、レンズ付きフイルムユニットの優れたデザインを損なわないようにすることが望まれていた。
【０００６】
そこで、特許文献２に記載されたレンズ付きフイルムユニット用包装袋では、透明なフイルム層から積層した包装材を用いて、レンズ付きフイルムユニットの前面を覆う部分を透明にした窓部を形成し、この窓部を除く部分には不透明な印刷を施している。このような構成の包装袋を使用することによって透明な窓部からレンズ付きフイルムユニットを露呈させて外部から観察することが可能となるので、レンズ付きフイルムユニットの優れたデザインを生かし、綺麗な外観を持つことができる。
【０００７】
また、レンズ付きフイルムユニットでは、流通時に落下などの衝撃によりシャッタ羽根が開閉するおそれがあり、透過性を有する包装体では、外光が撮影レンズから入射して写真フイルムの１コマ目に露光されてしまうという問題があった。そこで、特許文献３では、透明なガセット袋を使用するとともに、レンズ付きフイルムユニットの撮影レンズを覆い、遮光性を有するキャップを設けており、製品状態では、レンズ付きフイルムユニットにキャップを装着し、写真フイルムが露光しないようにしている。
【０００８】
しかしながら、レンズ付きフイルムユニット及びその包装袋としては、さらにデザイン性が高く、見栄えの良いものが望まれており、上記特許文献１では、包装袋の装飾及びデザイン面については何ら効力されておらず、上記特許文献２及び３にしても、単に透明な窓からレンズ付きフイルムユニットを外部から見れるようにしただけであってその他には平凡で特徴のないものとなりがちであり、レンズ付きフイルムユニット自体のデザインが優れていなければ、ガセット袋を含めた製品全体のデザインとしては優れたものにならない。
【０００９】
さらに、上記特許文献２、３に記載されているような、透明な窓を設けたガセット袋をレンズ付きフイルムユニットの包装袋とした場合、屋外など直接日光に当たる場所では透明窓を通過して日光が当たるため、ガセット袋の内部が温度上昇し、熱かぶり等が発生して写真フイルムが劣化したり、熱による影響で部材が変形するなど、熱対策及び遮光対策が十分ではなかった。よって、屋外などの場所には陳列できず、屋内の店舗のみで販売する限定製品として流通することが多かった。
【００１０】
さらにまた、透明な包装袋を使用した場合、レンズ付きフイルムユニットの前面に位置するストロボ切替用の操作部材まで露呈してしまうこととなり、店頭に陳列した場合、この操作部材が押されたりすることなどにより、ストロボ回路がオン状態となって、電源を無駄に消費してしまうことになる。
【００１１】
【特許文献１】特開平５−２０４０４２号公報
【特許文献２】特開平７−１０４４３６号公報
【特許文献３】特開２０００−３４１４９３号公報
【発明の開示】
【発明が解決しようとする課題】
【００１２】
解決しようとする問題点は、デザイン性の向上を図ることが困難である点、さらに熱対策、遮光対策、電源の無駄な使用の防止対策が不十分で屋外での陳列ができない点である。
【００１３】
本発明は、上記問題点を解決するためのもので、透明な包装材を使用してデザイン性の向上を図りつつ、熱対策、遮光対策、電源の無断な使用防止対策を施して屋外での陳列を可能とする包装袋及びレンズ付きフイルムユニットを提供することを目的とする。
【課題を解決するための手段】
【００１４】
本発明は、透過性を有するプラスチックフイルムからなる包装材を筒形状にし、この筒形状にした包装材の端縁同士を互いに重ね合わせて接合させたシール部が形成され、内部にレンズ付きフイルムユニットを収納する包装袋において、
前記包装材のうち前記シール部、及びこのシール部と重なる重複部が遮光性を持ち、前記レンズ付きフイルムユニットの撮影用レンズの前面に前記シール部及び前記重複部が位置することを特徴とする。なお、前記包装材は、前記シール部及び前記重複部に、遮光性塗料によって印刷を施していることを特徴とする。
【００１５】
また、前記レンズ付きフイルムユニットには操作部材が設けられており、この操作部材を覆う部分に不透明な印刷を施していることを特徴とする。あるいは、前記レンズ付きフイルムユニットには操作部材が設けられており、この操作部材を覆う保護部材を内部に収納することを特徴とする。
【００１６】
さらにまた、前記包装材は、少なくとも一部に塗料による網掛け印刷を施していることを特徴とする。あるいは、前記包装材は、少なくとも一部に艶消し塗料による印刷を施していることを特徴とする。また、前記包装材は、前記プラスチックフイルムと、艶消し樹脂により形成された艶消しフイルム層とを積層して形成していることを特徴とする。なお、前記レンズ付きフイルムユニットの前面を覆う部分に装飾用の印刷を施していることを特徴とする。
【００１７】
また、本発明のレンズ付きフイルムユニットは、請求項１ないし８いずれか１項に記載の包装袋の内部に収納され、外装カバーのうち少なくとも前記包装袋から露呈される部分が白色樹脂で成形されていることを特徴とする。
【発明の効果】
【００１８】
本発明の包装袋及びレンズ付きフイルムユニットは、デザイン性を向上しつつ、十分な熱対策、遮光対策、電源の無駄な使用を防ぐ対策を施して屋外での陳列販売に耐える耐久性が持てるという利点がある。
【発明を実施するための最良の形態】
【００１９】
図１は、本発明を実施したレンズ付きフイルムユニットの1 例を示すものである。レンズ付きフイルムユニット２のユニット本体３の前面には、撮影レンズ５、対物側ファインダ窓６、ストロボ発光部７、ストロボ切替操作部材８等が設けられている。また、ユニット本体３の上面には、レリーズボタン１１、残り撮影可能コマ数を表示するカウンタ窓１２、ストロボ充電表示用のライトガイド１３が設けられている。さらに、ユニット本体３の背面側には、巻上げノブ１４、接眼側ファインダ窓などが露呈される。
【００２０】
図２に示すように、ユニット本体３は、ストロボ装置１５、露光装置１６等が組み込まれる本体基部１７と，その本体基部１７の前後を覆うように取り付けられる前カバー１８、及び後カバー１９とから構成されている。
【００２１】
前カバー１８には、撮影レンズ５、対物側ファインダ窓６、ストロボ発光部７、ストロボ切替操作部材８等を露呈するための開口が形成されている。この前カバー１８は、直射日光を受けたときの熱の吸収を防ぐため、白色の樹脂で成形されている。
【００２２】
本体基部１７には、左右にパトローネ室２０とフイルムロール室２１と、それらの間に位置するアパーチャ２２（図４参照）とが一体に形成されており、アパーチャ２２の前方に撮影レンズ５、シャッタ羽根２３（図４参照）を含む露光装置１６が設けられている。また、露光装置１６とフイルムロール室２１との間には、ストロボ装置１５が爪結合により取り付けられる。さらにまた、パトローネ室２０及びフイルムロール室２１には、フイルムカートリッジ２５と写真フイルム２６とをロール状にしたフイルムロール２６ａとがそれぞれ装填される。このパトローネ室２０の上部には巻上げノブ１４が回動自在に配置され、その下部に一体に設けられた軸部材がパトローネ室２０に収納されたフイルムカートリッジ２５のスプール２５ａに係合される。この巻上げノブ１４を図中反時計方向に回動させることにより、撮影済の写真フイルム２６がフイルムカートリッジ２５内に巻き上げられる。
【００２３】
後カバー１９は、本体基部１７の背面を覆うように取り付けられ、本体基部１７との間に，フイルムロール室２１からアパーチャ２２の背後を通ってパトローネ室２０に至るまでのフイルム給送路を形成する。このフイルム給送路を通って写真フイルム２６がフイルムロール室２１からパトローネ室２０の内部に装填されたフイルムカートリッジ２５に収納される。また、後カバー１９には、その底部に底蓋１９ａ，１９ｂが形成されており、これらの底蓋１９ａ，１９ｂによってパトローネ室２０とフイルムロール室２１の底部が光密に閉じられる。
【００２４】
ストロボ装置１５は、回路基板２７にストロボ発光部７、メインコンデンサ２８、シンクロスイッチ２９、一対の電極接片３０，３１等を組み付けてユニット化したものである。電極接片３０，３１は、回路基板２７の一端に接続されており、電池３２を装着してストロボ回路に給電が行われる。
【００２５】
なお、回路基板２７の前面には、受け板３３、及びストロボ切替操作部材８が取り付けられる。ストロボ切替操作部材８が通常位置から上方の充電位置に向けてスライドされると、ストロボ切替操作部材８の背面側に形成された突起部（図示せず）が、回路基板２７上に設けられた金属接片３０ａを押圧してストロボ回路がオン状態となりメインコンデンサ２８への充電が開始される。このストロボ装置１５は、レリーズボタン１１の押圧により露光機構１６を作動させたときに回動するシャッタ羽根２３によりシンクロスイッチ２９が短絡し、ストロボ光を発光させるようになっている。
【００２６】
図３及び図４は、本発明を実施した包装袋、及びこの包装袋の内部に包装されたレンズ付きフイルムユニットを示す斜視図及び要部断面図である。包装袋４０は、いわゆるピロー包装の形態でレンズ付きフイルムユニット２を気密に包み込んでおり、両端部に突出片４１，４２が、前面、上面及び底面には透明な窓部４３が、この窓部４３の中央部には帯状に形成された遮光部４４が設けられている。一方の突出片４１には、ハンガー吊り下げ用の貫通穴４１ａが形成されており、他方の突出片４２は、包装袋４０を開封しやすいように端部４２ａが波型にカットされている。窓部４３は、レンズ付きフイルムユニット２を外部から露呈させる。窓部４３、遮光部４４を除く不透明部４５には不透明な印刷が施されている。窓部４３は、レンズ付きフイルムユニット２のうち、前面の大部分を露呈させるが、ストロボ切替操作部材８を含む右側部分は不透明部４５によって覆われており外部から露呈しない。
【００２７】
なお、図示はしていないが、遮光部４４及び窓部４３が位置し、レンズ付きフイルムユニット２の前面側を覆っている部分には、商品ロゴや絵柄など装飾用の印刷が施されている
【００２８】
遮光部４４は、図４に示すように、レンズ付きフイルムユニット２の撮影レンズ５の前面を覆う位置に設けられている。この遮光部４４は、後述するように、包装材４６（図５参照）をピロー包装によって包装袋４０に形成したときにシーリングが施されたシール部４７ａ，４７ｂ、及びこのシール部４７ａ，４７ｂと重なる重複部４８から構成される。
【００２９】
図５は、包装袋４０を構成する包装材４６を示す平面図である。包装材４６は、長尺の帯状に形成されている。この包装材４６の状態では、両端縁から所定の幅を持つようにシール部４７ａ，４７ｂが形成されており、一方のシール部４７ａに隣接して重複部４８が形成されている。さらに窓部４３は、両側方部の窓部４３ａ，４３ｂに分かれて配置されており、それら以外には、不透明部４５が形成されている。
【００３０】
図６は、包装材４６の層構成を示す断面図である。なお、同図において上側が外気に接する表面側、下側がレンズ付きフイルムユニット２に接する裏面側を表している。包装材４６は、プラスチックフイルム層５０と、このプラスチックフイルム層５０の表面側に位置する印刷インキ層５１と、さらにこの印刷インキ層５１の表面側に位置する保護層としてのＰＥＴ（ポリエチレンテレフタレート）フイルム層５２とからなり、これらの各層が積層されて形成されている。プラスチックフイルム層５０は、セラミック蒸着フイルムやＰＥ（ポリエチレン）フイルムなどからなる。
【００３１】
上述した包装材４６を構成する各層のうち、プラスチックフイルム層５０及びＰＥＴフイルム層５２は、透明なフイルム層である。そして、印刷インキ層５１のみ、窓部４３、遮光部４４、不透明部４５でそれぞれ異なる塗料を用いて形成されており、この塗料の違いによって、それぞれ異なる機能を持つ。
【００３２】
窓部４３では、白色の塗料が使用され、網掛け状に印刷を施して印刷インキ層５１を形成している。これにより、窓部４３は透明なフイルム層に対して光の透過率を下げた、いわゆる半透明の状態となり、外部から包装袋４０の内部が露呈する。さらに、遮光部４４を構成するシール部４７ａ，４７ｂ、及び重複部４８では、遮光性を有する遮光性塗料が使用され、隙間無く印刷を施して印刷インキ層５１を形成している。これによって、遮光部４４からは、外部の光線が内部に漏れないようになっている。また、不透明部４５では不透明な塗料が使用され、外部から包装袋４０の内部が露呈しないようになっている。
【００３３】
図７は、レンズ付きフイルムユニット２をピロー包装によって包装し、包装袋４０の内部に収納するときの状態を示す説明図である。このピロー包装では、先ず、図７（Ａ）に示すように、包装材４６を矩形断面の筒形状に形成し、内部にレンズ付きフイルムユニット２を包み込む。その後、図７（Ｂ）に示すように、包材の端縁に位置するシール部４７ａ，４７ｂを互いに重ね合わせ、溶着してセンターシーリング処理を施す。なお、このセンターシーリング処理を施すとき、シール部４７ａ，４７ｂを折り返して重複部４８と重ねる。また、このセンターシーリング処理の他にクロスシーリング処理を施して、前後の突出片４１，４２を形成する。そして、図７（Ｃ）に示すように、突出片４１に貫通穴４１ａ、突出片４２に波型状の端部４２ａを形成するように余剰部分をカットして、包装袋４０が完成する。
【００３４】
上記構成の作用について、以下に説明する。包装袋４０によって包装されたレンズ付きフイルムユニット２は、市場に流通される。そして、包装袋４０は、上述したように、透明部４３に白色塗料を網掛印刷し、半透明にしているので、レンズ付きフイルムユニット２の優れたデザインを露呈させつつ、高級感のある外観を持つことが可能となる。また、前面側には、装飾用の印刷が施され、且つ前面中央部分に、遮光部４４を構成するシール部４７ａ，４７ｂがライン状に配置されているので、従来の包装袋とは異なり、見栄えのする外観を持つことができる。
【００３５】
そして、包装袋４０に包装されたレンズ付きフイルムユニット２が屋外に陳列された場合、直射日光を受けることになるが、上述したように、シール部４７ａ，４７ｂ及び重複部４８と３重になった遮光部４４によって撮影レンズ５が覆われているので、撮影レンズ５の前面は確実に遮光されており、シャッタ羽根２３が開閉してしまった場合でも、写真フイルム２６に画像が露光されることがない。
【００３６】
さらに、窓部４３を白色塗料の網掛印刷で半透明にするとともに、この窓部４３から露呈される前カバー１８を白色樹脂で成形しているので、直射日光による熱の吸収を抑えて輻射熱の発生を防止することができる。これにより、包装袋４０の内部の温度上昇を防ぐことが可能であり、熱かぶりによる写真フイルム２６の劣化や、レンズ付きフイルムユニット２の各部材の変形を防ぐことができる。
【００３７】
また、ストロボ切替操作部材８は、不透明部４５によって覆われており、包装袋４０の外部からこのストロボ切替操作部材８の位置を認識することは困難であるため、切替操作が行われることはなく、ストロボ回路はオフ状態のままなので、電源となる電池３２の無駄な消費を防ぐことができる。
【００３８】
なお、上記例においては、不透明部４５によって覆われている操作部材は、ストロボ切替操作部材８だけであるが、本発明はこれに限るものではなく、レリーズボタン１１、巻上げノブ１４など他の操作部材に対しても同様の処理を施してもよい。
【００３９】
また、上記例においては、包装材４６に不透明な印刷を施した不透明部４５によって、ストロボ切替操作部材８を覆い隠し、電源の無駄な使用を防いでいるが、本発明はこれに限るものではなく、これに代えて、包装袋４０の内部にレンズ付きフイルムユニット２を保護する保護部材、例えば紙トレイを収納し、この紙トレイによって、ストロボ切替操作部材８を覆い隠しても、同様の効果を得ることができる。
【００４０】
さらにまた、上記例においては、包装材４６の窓部４３を塗料で網掛印刷することによって光の透過率を下げて半透明にしているが、これに限るものではなく、包装材４６にマットニス（艶消し塗料）で印刷を施してもよい。あるいは、印刷によって光の透過率を低下させるのではなく、包装材４６を構成する表面のＰＥＴフイルム層５２として、マット（艶消し）のＰＥＴ樹脂から形成した艶消しフイルム層を、プラスチックフイルム層５０に積層して形成してもよい。さらに、プラスチックフイルム層５０としては、透明であることに限定されず、透過性を有するものであればよく、半透明であってもよい。
【図面の簡単な説明】
【００４１】
【図１】本発明を実施したレンズ付きフイルムユニットの外観斜視図である。
【図２】本発明を実施したレンズ付きフイルムユニットの分解斜視図である。
【図３】本発明を実施した包装袋及びその内部に収納されたレンズ付きフイルムユニットの外観斜視図である。
【図４】本発明を実施した包装袋及びその内部に収納されたレンズ付きフイルムユニットの要部断面図である。
【図５】包装袋を構成する包装材の展開図である。
【図６】包装材の層構成を示す断面図である。
【図７】レンズ付きフイルムユニットをピロー包装によって包装するときの状態を示す説明図である。
【符号の説明】
【００４２】
２  レンズ付きフイルムユニット
３  ユニット本体
５  撮影レンズ
１８  前カバー
４０  包装袋
４３  窓部
４４  遮光部
４５  不透明部
４６  包装材
４７ａ，４７ｂ  シール部
４８  重複部
５０  プラスチックフイルム層
５１  印刷インキ層
５２  ＰＥＴ（ポリエチレンテレフタレート）フイルム層
【図１】
2005062615.tif 000003
【図２】
2005062615.tif 000004
【図３】
2005062615.tif 000005
【図４】
2005062615.tif 000006
【図５】
2005062615.tif 000007
【図６】
2005062615.tif 000008
【図７】
2005062615.tif 000009